(57)【要約】      （修正有）【課題】管理に要するシステム負荷の最小化を図った運動施設管理システムを提供する。【解決手段】運動施設と、運動施設の運営を統括する管理サーバーと、運動施設の利用者の入退会と会費管理の業務を実行する入退会・会費管理サイトと、運動施設への利用者の入退出管理を実行する施設入退出管理サイトと、運動施設のセキュリティーの監視業務を実行するセキュリティーサイトと、利用者への運動関連商品の提供業務を実行する物販管理サイトとで構成される。退会・会費管理サイト、施設入退出管理サイト、セキュリティーサイト、及び物販管理サイトを、ネットワークを介して管理サーバーに接続する。管理サーバーは、運動施設の運営に係る各業務の実行に関するデータを、ネットワークを介して退会・会費管理サイト、施設入退出管理サイト、セキュリティーサイト、及び物販管理サイトに振り分けると共に、各サイトからの処理結果を受けて運動施設を統括管理する。【選択図】図１
2020027318.tif 000002
【特許請求の範囲】
【請求項１】
運動施設の運営を、専らＩＣＴを用いて運営する運動施設管理システムであって、
運動施設と、前記運動施設の運営を統括する管理サーバーと、前記運動施設の利用者の入退会と会費管理の業務を実行する入退会・会費管理サイトと、前記運動施設への前記利用者の入退出管理を実行する施設入退出管理サイトと、前記運動施設のセキュリティーの監視業務を実行するセキュリティーサイトと、前記利用者への運動関連商品の提供業務を実行する物販管理サイトとで構成され、
前記入退会・会費管理サイト、前記施設入退出管理サイト、前記セキュリティーサイト、及び前記物販管理サイトを、ネットワークを介して前記管理サーバーに接続してなり、
前記管理サーバーは、前記運動施設の運営に係る各業務の実行に関するデータを、前記ネットワークを介して前記入退会・会費管理サイト、前記施設入退出管理サイト、前記セキュリティーサイト、及び前記物販管理サイトに振り分けると共に、前記各サイトからの処理結果を受けて当該運動施設を統括管理することを特徴とする運動施設管理システム。
【請求項２】
前記運動施設に、利用者ＩＤを認識する非接触リーダー／ライターを備えた無人のフロントとメインゲートを有し、
入退出する利用者の持つ携帯情報端末にインストールされたＩＤを認識して前記メインゲートを開閉することを特徴とする請求項１に記載の運動施設管理システム。
【請求項３】
前記運動施設に非接触リーダー／ライターを備えた男女別のロッカールームが設置されており、男子ロッカールームと女子ロッカールームは前記携帯情報端末にインストールされたＩＤを前記非接触リーダー／ライターによる認識で開閉するサブゲートを有することを特徴とする請求項２に記載の運動施設管理システム。
【請求項４】
前記サブゲートを開錠する前記ＩＤのレコードには、前記メインゲートの通過済データの付加が開扉許諾条件として記録されることを特徴とする請求項３に記載の運動施設管理システム。
【請求項５】
前記ロッカールームに設置された各ロッカーに非接触リーダー／ライターを備えて前記携帯情報端末にインストールされたＩＤの認識で開閉する男子ロッカードア、女子ロッカードアを有することを特徴とする請求項３に記載の運動施設管理システム。
【請求項６】
前記運動施設に、当該運動施設の状況を検知するための複数の監視手段を具備することを特徴とする請求項１乃至５の何れかに記載の運動施設管理システム。
【請求項７】
前記監視手段は、ビデオカメラ、音声採取プローブ、振動センサーを含むことを特徴とする請求項６に記載の運動施設管理システム。
【請求項８】
前記運動施設に物販棚を有し、飲料等の販売、予約した物品の受け取りのサービスを行うことを特徴とする請求項１乃至７の何れかに記載の運動施設管理システム。
【請求項９】
前記運動施設の室内に内部モニターを、前記無人フロント近傍に外部モニターを備え、パーソナルトレーナーのタイムテーブルを含む施設運営情報の表示を行うことを特徴とする請求項１乃至８の何れかに記載の運動施設管理システム。
【請求項１０】
前記管理サーバーは、入会／ビジター処理部、利用者とパーソナルトレーナーの予約スケジュールを設定するパーソナルトレーナー予約部、運動施設への入館に係る認証とパーソナルトレーナー利用権の売買管理を行う認証部、及び当該管理サーバーの業務に係る諸データを処理するデータ処理部で構成したことを特徴とする請求項１に記載の運動施設管理システム。
【請求項１１】
前記データ処理部に、前記ネットワークで接続される外部サービスサイトの異なるプラットフォーム上のアプリケーションを統合するＷＥＢサービスを行うためのＸＭＬ対応プログラムを有することを特徴とする請求項１０に記載の運動施設管理システム。
【発明の詳細な説明】
【技術分野】
【０００１】
本発明は、施設の管理、特に会員制を基本として一時的な使用を希望するビジターにも施設の利用を提供できる、所謂スポーツクラブ（あるいはフィットネスクラブ）等の運営を、ＩＣＴ（Information and Communication Technology）を利用して管理する運動施設管理システムに関する。
【背景技術】
【０００２】
近年の健康指向の意識の高まりでフィットネスクラブやスポーツジム、スポーツセンター等が広く利用されるようになった。特に、専門のインストラクターを配置し、効果的なトレーニング方法を提供する複合型の運動施設であるフィットネスクラブ（スポーツクラブ）の普及が目覚ましい。
【０００３】
運動施設の運営には、基本的には、フロント、施設の保守・管理・セキュリティ確保、職員やインストラクター等の人員の管理に限らず、会員やビジター等の入退館管理、会費の徴収管理、ビジターの利用料金等の管理、あるいは物販の管理など、様々な業務を行うための総合的な管理システムが必要になる。
【０００４】
この種の運動施設の管理システムとしては特許文献１、特許文献２、特許文献３などを挙げることができる。特許文献１は利用時間に応じて料金が変動する施設の利用に対して効率よく課金を処理できる自動課金システムを開示する。
【０００５】
具体的には、特許文献１は、複数の施設の各入退場口近傍にそれぞれアンテナを設置し、施設利用者は無線タグを所持する。そして、通過する当該施設利用者の無線タグから識別情報を読取る無線通信装置を備え、無線通信装置は複数の施設毎に利用時間に応じて設定される課金情報を記憶する課金情報記憶部と、無線通信装置で識別情報を読取った事象に基づいてその識別情報で特定される施設利用者の施設毎の利用時間を検出する利用時間検出手段とを有する。また、時間検出手段により検出される施設毎の利用時間で課金情報記憶部を検索し、その利用時間に応じた課金情報から施設利用者への課金金額を施設毎に求める課金金額取得手段を備え、課金金額取得手段により求められる施設毎の課金金額を施設利用者毎に累積する課金金額累積手段を備えている。
【０００６】
特許文献２は、健康管理対象者の健康管理対象者情報と、スポーツ施設に設置された検知端末情報及び前記スポーツ施設内の設備情報を含む施設情報とを記憶する記憶部と、無線通信によって前記検知端末の識別情報を受け取った前記端末から、当該識別情報を受信する受信部と、健康管理対象者情報と識別情報に対応する検知端末に関連付けられた設備情報とに基づいて、メニューを生成するメニュー生成部と、生成された前記メニューを前記端末に送信する送信部とを備え、指導のためのメッセージの作成及び送信にあたって、クライアントの生体情報、食事及び健康状態等から、対象のクライアントの健康状態等に最も適したアドバイスを提供する支援ができる健康管理サーバーを開示する。
【０００７】
特許文献３は、フィットネスクラブにより運営される施設のスタッフによる施設の利用者への声掛けを効率良く行い、利用者の退会抑制を図る声掛け支援システムを開示する。このシステムは、利用者情報に含まれる来館履歴に基づいて、来館頻度が減少傾向を示すほど値が高くなるように各利用者の優先度を算出し、利用者情報の優先度の項目に書き込む優先度算出部を備える。
【０００８】
また、利用者情報に書き込まれた来館中情報を基に、現在、施設に来館している来館利用者を特定する特定部、来館利用者の中から優先度が高い順に規定人数の来館利用者を声掛け対象者として抽出する抽出部、抽出部により抽出された声掛け対象者を示す声掛け対象者情報を生成し、通信部を制御してスタッフ端末３に送信する通信制御部、サーバーから送信された声掛け対象者情報により示される声掛け対象者をスタッフに報知するスタッフ端末で構成される。
【先行技術文献】
【特許文献】
【０００９】
【特許文献１】特開２０１０−１７６１９６号公報
【特許文献２】特開２０１７−２２４２６７号公報
【特許文献３】特開２０１１−３９７１９号公報
【発明の概要】
【発明が解決しようとする課題】
【００１０】
フィットネスクラブやスポーツジム、スポーツセンター等では会員制で運用しているのが一般的で、施設によってはビジターの利用も容認している。会員数やビジターの数が多くなると、施設への入館、退館の管理、パーソナルトレーナーの予約とスケジュール管理、飲料やウエアなどの物品の販売、会費や料金の徴収・督促などに多くの職員が必要になる。
どのような組織でも、その運営では、人件費が占める割合は大きい。特に、運動施設では、トレーニングマシンと利用者の指導・安全監視のために多くの職員を配置する必要がある。
これからの運動施設の運営では、インターネットやスマートフォンなどの情報機器を上手に利用して経営者と利用者が共に快適な施設運営とその利用ができることが望ましい。
【００１１】
本発明の目的は、運動施設運営の効率化を実現することにあり、ＩＣＴを最大限に利用して既存の各種サービスサイトと連携することで、管理に要するシステム負荷の最小化を図った運動施設管理システムを提供することにある。
【課題を解決するための手段】
【００１２】
上記目的を達成するための本発明の代表的な特徴を以下に記述する。なお、構成の理解を容易にするため、本発明の主要な構成に後述する実施例の符号を併記してある。
【００１３】
本発明は、スポーツクラブなどの運動施設の運営を、専らＩＣＴを用いて運営する運動施設管理システムであり、次のような構成とした。
（１）運動施設１と、前記運動施設の運営を統括する管理サーバー３と、前記運動施設の利用者の入退会と会費管理の業務を実行する入退会・会費管理サイト６と、前記運動施設への前記利用者の入退出管理を実行する施設入退出管理サイト４と、前記運動施設のセキュリティーの監視業務を実行するセキュリティーサイト５と、前記利用者への運動関連商品の提供業務を実行する物販管理サイト７とで構成される。
入退会・会費管理サイト６、前記施設入退出管理サイト４、前記セキュリティーサイト５、及び前記物販管理サイト７を、ネットワーク１０を介して前記管理サーバー３に接続する。
前記管理サーバー３は、前記運動施設１の運営に係る各業務の実行に関するデータを、前記ネットワーク１０を介して前記入退会・会費管理サイト６、前記施設入退出管理サイト４、前記セキュリティーサイト５、及び前記物販管理サイト７に振り分けると共に、前記各サイトからの処理結果を受けて当該運動施設を統括管理することを特徴とする。
【００１４】
（２）前記（１）における運動施設１に、利用者ＩＤを認識する非接触リーダー／ライター１２を備えた無人のフロント１１とメインゲート２を有し、
入退出する利用者の持つ携帯情報端末８にインストールされたＩＤを認識して前記メインゲート２を開閉することを特徴とする。
（３）前記（２）における運動施設１に非接触リーダー／ライター１２を備えた男女別のロッカールーム１５、１６が設置されており、男子ロッカールーム１５と女子ロッカールーム１６は前記携帯情報端末８にインストールされたＩＤを前記非接触リーダー／ライター１２による認識で開閉するサブゲート２ｍ、２ｆを有することを特徴とする。
【００１５】
（４）前記（３）におけるサブゲート２ｍ、２ｆを開錠する前記ＩＤのレコードには、前記メインゲート２の通過済データの付加が開扉許諾条件として記録されることを特徴とする。
（５）前記（３）におけるロッカールームに設置された各ロッカーに非接触リーダー／ライター１２を備えて前記携帯情報端末８にインストールされたＩＤの認識で開閉する男子ロッカードア２ｍ１，２ｍ２,・・、女子ロッカードア２ｆ１，２ｆ２,・・を有することを特徴とする。
（６）前記（１）から（５）の何れかの運動施設１に、当該運動施設の状況を検知するための複数の監視手段１７を具備することを特徴とする。
（７）前記（６）の監視手段１７は、ビデオカメラ、音声採取プローブ、振動センサーを含むことを特徴とする。
（８）前記（１）乃至（７）の運動施設１に物販棚１８を有し、飲料等の販売、予約した物品の受け取りのサービスを行うことを特徴とする。
【００１６】
（９）前記（１）乃至（７）の運動施設１の室内に内部モニター２０を備え、また前記無人フロント１１近傍に外部モニター２１を備え、パーソナルトレーナーのタイムテーブルを含む施設運営情報の表示を行うことを特徴とする。
（１０）前記（１）の管理サーバー３は、入会／ビジター処理部３１、利用者とパーソナルトレーナーの予約スケジュールを設定するパーソナルトレーナー予約部３２、運動施設への入館に係る認証とパーソナルトレーナー利用権の売買管理を行う認証部３３、及び当該管理サーバー３の業務に係る諸データを処理するデータ処理部３４で構成したことを特徴とする。
（１１）前記（１０）のデータ処理部３４に、前記ネットワークで接続される外部サイトの異なるプラットフォーム上のアプリケーションを統合するＷＥＢサービスを行うためのＸＭＬ対応プログラム３４１を有することを特徴とする。
【００１７】
本発明は、上記の構成及び後述する実施例の構成に限定されるものではなく、本発明の技術思想の範囲内で種々の変形が可能であることは言うまでもない。
【発明の効果】
【００１８】
ＩＣＴを最大限に利用し、利用者は自身のスマートフォンやパソコンから運動施設に入会し、あるいは退会の手続きをし、運動施設の一時的な利用を希望する、所謂ビジターの事務処理、パーソナルトレーナーの予約・解約・権利譲渡などの処理を、インターネットを典型とするネットワークを介して行うことで、利用者の利便性が向上する。
一方、運動施設の管理者（運営者）にとっては、入会や退会、一時的利用希望の手続きあるいは物販を含めた運動施設の運用に係る業務を外部にある適宜のサービスサイトを利用することで、自身の管理業務の実行に係る負担が軽減でき、最小人員での経営が可能となって、業績向上を図ることができる。このシステムは、ＡＩ技術の積極的な取り込みを行うことで、究極には無人の運動施設運営が可能になる。
【図面の簡単な説明】
【００１９】
【図１】本発明に係る運動施設管理システムの基本構成を説明するブロック図である。
【図２】図１における施設管理サーバーの構成例を説明するブロック図である。
【図３】本発明に係る運動施設の具体例を説明する模式平面図である。
【図４】本発明に係る運動施設の利用に関する手続きの流れ図である。
【図５】本発明に係る運動施設の利用に関する会費・料金・物販代金処理手続きの流れ図である。
【発明を実施するための形態】
【００２０】
以下、本発明の実施の形態を実施例の図面を参照して詳細に説明する。
【実施例１】
【００２１】
図１は、本発明に係る運動施設管理システムの基本構成を説明するブロック図であり、運動施設１の運営に関連する外部サービスサイトとの連携を説明する本発明の基本的な概念図である。
図１において、運動施設１は会員制のスポーツクラブの施設を示し、その内部には筋トレ用のマシーン、ストレッチマット、スタジオなどのスポーツクラブとしての各種設備を配置してある。なお、施設１は一つの部屋に限るものではなく、建物自体で構成されるものも含む。したがって、ここでは、この施設を室とも、あるいは館とも言い、そこに出入りすることを入退室、あるいは入退館というが、これらは同意語である。また、施設を店舗と称する場合もある。
この施設１には、利用者、トレーナー、関係者が入退室するためのメインゲート２を有している。また、メインゲート２の近傍には、非接触リーダー／ライター１２を有する無人フロント１１（以下、単にフロントとも称する）が配置されている。フロント１１は将来的にはＡＩ化することもできる。入室する者は携帯情報機器８を非接触リーダー／ライター１２にかざして開錠することができる。携帯情報機器８には許可された利用者のＵＲＬ、開錠キー（キーコード）が格納されている。
【００２２】
携帯情報機器８として、以下の実施例ではスマートフォン（スマホ）を用いるものとして説明するが、タブレット８１、従来からの携帯（所謂フューチャーフォン）８２、ＮＦＣ型のＩＣカード８３、データ送受信可能なトークン８４なども使用可能である。なお、自宅等の施設とは離れた場所からネットワーク１０を介在しての施設利用の入会／退会などの申し込み、会費/料金の支払い、予約、予約解除、店舗変更等の施設との認証データ等の交換は基本的にはスマートフォン８で行うが、パソコン９も使用可能である。パソコン９での認証が設定された後は、そのデータを上記スマートフォン８などの携帯情報端末に転送すればよい。
【００２３】
施設１の無人フロント１１で上記した入会／退会などの申し込み、予約、予約解除、店舗変更等の施設との認証データ等の交換を行うこともできる。飲料などの物販はこの無人フロント１１にある物販棚（図３で後述）で利用できる。予約した物品の受け取り、貸出しも可能である。
施設１には、当該施設１を直接管理する施設管理サーバー３が接続されている。施設管理サーバー３はメインゲート２、フロント１１との間の各種管理データの送受信、ネットワーク１０を介した外部サービスサイトとのデータ振分け、データ送受信を行う。施設管理サーバー３は、上記したメインゲート２とのデータに加えて監視（セキュリティー）データ、物販関連データ、モニターデータの処理などを行う。これについては、後述する。
【００２４】
本実施例における外部サービスサイトとしては、施設の入退室管理の実務を行うための入退室管理サイト４、施設のセキュリティー実務を行うセキュリティーサイト５、入退会会費や一時使用者（ビジター）の料金処理を行う入退会会費管理サイト６、物販データ実務を行う物販管理サイト７を利用する。これらの外部サービスサイトはネットワーク１０で施設管理サーバー３に接続されている。
施設管理サーバー３は、施設の運用データの処理実務に係る各種のデータを外部サービスサイトに振分け、外部サービスサイトが処理した結果データを受けて施設の管理を行う構成であるため、自身の負担を最小限に留めることができ、小規模なサーバーで足りる。
【００２５】
図２は、図１における施設管理サーバーの構成例を説明するブロック図である。施設管理サーバー３は、大まかに分けて、入会/ビジター処理部３１、パーソナルトレーナー予約部３２、認証部３３、データ処理部３４を有し、これらはバスライン３５で接続されている。なお、図３に示した施設１には監視カメラ１７、不法侵入センサー１９が設置されていることを示している。この他に、種々の設備が設置されているが、それについては図３で説明する。
【００２６】
入会／ビジター処理部３１はネットワーク１０あるいはフロント１１からアクセスされる利用者（会員、ビジター）のデータをとりこむ利用者受入れＩ／Ｆ３１１、ビジター利用やパーソナルトレーナー予約などのチケットデータをスマートフォン８などに発行するチケット発行部３１２、会費や料金の前処理を行う入出金処理部３１３、物販管理部３１４で構成される。
パーソナルトレーナー予約部３２は、施設運営日程表（タイムテーブル）やパーソナルトレーナーのスケジュール等を管理するスケジュール管理部３２１、スケジュール管理部をバックアップするカレンダー表示制御部３２２、パーソナルトレーナーの予約を管理する予約管理部３２３、パーソナルトレーナーの在籍、勤務、体調、適性などを管理するパーソナルトレーナー管理部３２４で構成される。
【００２７】
認証部３３は施設利用の申込者（新規会員、一時利用希望者：ビジター）受入れ項目（氏名・年齢・住所・連絡先・クレジットカードデータ、その他施設利用に必要な項目）を検証し、利用許諾や利用拒否を行う認証部３３１、利用許可された者に施設利用が許可されたことを示すＵＲＬと施設入出のためのキーコードの発行を行うＩＤ発行部３３２、施設の出入り口（メインゲート）やロッカールームの開閉を監視する施設出入口制御部３３３、予約したパーソナルトレーナーの利用権を売買するパーソナルトレーニング権利の売買部３３４で構成される。
【００２８】
データ処理部３４は施設管理サーバー３内部でのデータ処理を行う部分で、運営実務データの殆どは統括制御部３４２が外部サービスサイト（４，５，６，７）に委託する。会員名簿やパーソナルトレーナー名簿などの施設の基本的なデータは記憶部３４３に格納される。記憶部３４３に格納されたデータは、関連する外部サービスサイトに反映される。モニター３４４、プリンター３４５、入出力デバイス３４６などは一般的なパソコンの機能部である。なお、ＸＭＬ対応部３４１はネットワーク１０で接続される外部サービスサイトが異なるプラットフォーム上のアプリケーションである場合に、それらを施設管理サーバー３のアプリケーションとして統合するプログラムを備えたＷＥＢサービス部である。
【００２９】
図３は、本発明に係る運動施設の具体例を説明する模式平面図である。
この施設１は筋トレ用のマシーン、ストレッチマット、スタジオなどの設備を有している。また、内部には男子用と女子用に分離されたロッカールーム１５、１６を有し、男子用ロッカールーム１５と女子用ロッカールーム１６にそれぞれサブゲート２ｍ、２ｆが設けられ、メインゲート２を開閉するものと同じ非接触リーダー／ライター１２が取り付けられている。各ロッカールームにある個別のロッカーにも扉２ｍｌ〜２ｍｎ、扉２ｆｌ〜２ｆｎを有し、上記と同様に非接触リーダー／ライター１２が取り付けられている。利用者は、自身のスマートフォンでメインゲート２、ロッカールームのサブゲート２ｍ、２ｆ、個別ロッカーの扉２ｍｌ〜２ｍｎ、２ｆｌ〜２ｆｎを開錠できるようになっている。
【００３０】
施設１のフロント１１が配置されるメインゲート２近傍には、物販棚１８が設置されている。この物販棚１８は飲料などの販売、予約品の引き取り、シューズなどの貸出し品の出し入れを行える。物販棚１８の開錠も上記と同様の非接触リーダー／ライター１２で行う。
施設の内外には、監視カメラや音声採取プローブ、振動センサー、不審物センサーなどの各種セキュリティー部材が設置されている。特に施設の内部は、壁面１３や天井１４に複数の監視カメラ１７で終日監視できるように構成されている。
施設の内壁、外壁またはそれらの近傍にはモニター２０、２１が設置されている。このモニターには、施設の稼働状況、パーソナルトレーナーのタイムテーブル、その他の施設サービスで利用者に周知させる各種の情報を表示するようになっている。
【００３１】
図４は、本発明に係る運動施設の利用に関する手続きの流れ図で、本管理システムで行う各種手続きの代表例を示す。施設の利用を希望する申込者は、先ずスマートフォンやパソコンに本運動施設のホームページを表示するアプリをダウンロードする（ステップ１、以下Ｓ-１のように表記する）。ここでは、スマートフォンを用いる場合について説明するが、利用者が自宅でパソコンを用いて操作してもよいことは前記したとおりである。
申込者は、入会（又は一時利用）に応じたボタン等をタップ（あるいはクリック）する（Ｓ-２）。入会希望なのか一時利用（ビジター）希望なのかを判断し（Ｓ−３）、入会である場合は入会に係る必要項目を表示し、申込者に入力を促す（Ｓ−４）。全項目に入力がなされたか否かを判断し（Ｓ−５）、ＯＫならば入会申込者データとしてシステム自身の記憶部に保存すると共に、入退会・会費管理サイトに登録する（Ｓ−７）。この登録に従って、ＵＲＬコードと合鍵データを発行する（Ｓ−８）。ＵＲＬコードは会員資格証明で、合鍵は施設の利用キーであり、これらのデータは当該申込者のスマートフォンに転送される。
【００３２】
上記の（Ｓ−５）で入力項目が不備と判断された場合は、その未完項目が何であるかを画面に表示し、入力を促す（Ｓ−６）。決められた回数（ｎ）の入力不備が発生した場合（Ｓ−１４）は、その旨を表示して操作を中断させ、終了する。ｎは、例えば「３」とする。
上記の（Ｓ−３）で、申込者がビジターである場合、ビジター登録に係る項目を表示して入力を促す（Ｓ−９）。各項目すべてが入力されたと判断された場合（Ｓ−１０でＹ：Yes）はビジターデータとしてシステム自身の記憶部に保存すると共に、入退会・会費管理サイトに登録する（Ｓ−１２）。この登録に従って、ＵＲＬコードと合鍵データを発行する（Ｓ−１３）。ＵＲＬコードはビジター承認資格証明であり、合鍵は施設用キーで、これらのデータは当該申込者のスマートフォンに転送される。
上記の（Ｓ−１０）で入力項目が不備と判断された場合は、その未完項目が何であるかを画面に表示し、入力を促す（Ｓ−１１）。決められた回数（ｎ）の入力不備が発生した場合（Ｓ−１４）は、その旨を表示して操作を中断させ、終了する。ｎは入会処理と同じく、例えば「３」とする
【００３３】
図５は、本発明に係る運動施設の利用に関する会費・料金・物販代金処理手続きの流れ図である。この処理は図４の会費管理、料金管理のサブルーチンに相当し、図１の入退会管理サイト６と物販管理サイト７に関連する手順である。
なお、以下における「他施設」とは、別地域にある同一系列の施設や提携施設を意味する。
図５における申し込み手続きとして、当該施設の会員（申込者）が（ａ）パーソナルトレーナーの申し込み、（ｂ）他施設利用の申し込み、（ｃ）物品の注文の何れかを行う場合で説明する。申込者はスマートフォンのアプリあるいはパソコンのホームページから上記（ａ）（ｂ）（ｃ）の手続きフォーマットのリンクに入る（Ｓ−２１）。
【００３４】
次に、料金あるいは代金の支払い方法を選択して確認（設定）する（Ｓ−２２）。申込者が希望した上記（ａ）（ｂ）（ｃ）の何れかについての支払うべき料金あるいは代金が申込者のスマートフォンあるいはパソコンに表示される。申込者は設定した支払方法で決済する（Ｓ−２６）。クレジットカード決済などの即時決済方法で決済が完了すると（Ｓ−２７のＹ）、パーソナルトレーナーのスケジュールを参照して（Ｓ−２８）、パーソナルトレーナーと日時が選定できる。そして、選択した内容がスマートフォンあるいはパソコンの画面を介して申込者に提示される（Ｓ−２９））。
この提示には複数の選択肢が含まれる。申込者が何れかのスケジュールのパーソナルトレーナーを選択し、同意すれば（Ｓ−３０）、申込者のスマートフォンあるいはパソコンにパーソナルトレーニングチケットを発行する（Ｓ−３１）。（Ｓ−３０）で、申込者の同意が得られない場合はやり直しとされる。
【００３５】
（Ｓ−２６）で、支払方法がコンビニ支払や現金振り込みのような即時決済でない場合（Ｓ−３７）は、仮予約として所定猶予期間の間、決済を待つ（Ｓ−３８）。上記の所定猶予期間の設定は当該施設のトレーナー数、その回転数などを考慮して決定する。所定猶予期間内に支払があれば、（Ｓ−２８）に行く。
物販の場合は、料金（代金）決済の確認で物品取引許可データを申込者のスマートフォンあるいはパソコンに発行する（Ｓ−３５）。また、他施設利用の場合は他施設利用許可データを申込者のスマートフォンあるいはパソコンに発行する（Ｓ−３６）。
上記（Ｓ−２７）で代金や料金の決済が猶予期間内に決済されない場合は、督促メールを送り（Ｓ−３２）、決済があれば（Ｓ−２８）、（Ｓ−３５）、（Ｓ−３６）に進む。督促メールでも決済がされないときは申し込みを取り消す（Ｓ−３４）。
【００３６】
図４と図５で説明した手順は一例であり、図２に示した本発明の構成例を用いる他の手順も種々考えられる。フロントの無人化に至る過程で、施設に有人フロントを置いて入退会や一時利用の申し込み受付け、物販などの業務を行うこともできる。また、施設のさらなるセキュリティーを確保するために、あるいは突発的な事象の発生に対処するため、監視員を駐在させることも可能である。
【産業上の利用可能性】
【００３７】
本発明はスポーツクラブなどの運動施設の運営システムではあるが、運動施設以外で本発明と同様の目的を持つ施設にも適用できるものである。
【符号の説明】
【００３８】
１・・・運動施設
２・・・メインゲート
２ｍ・・・男子ロッカールームのサブゲート
２ｆ・・・女子ロッカールームのサブゲート
２ｍ１, ２ｍ２,・・・２ｍｎ・・・男子ロッカードア
２ｆ１, ２ｆ２,・・・２ｆｎ・・・女子ロッカードア
３・・・施設管理サーバー
３１・・・入会／ビジター処理部
３２・・・パーソナルトレーナー予約部
３３・・・認証部
３４・・・データ処理部
３５・・・バスライン
４・・・入退室管理サイト
５・・・セキュリティーサイト
６・・・入退会・会費／料金管理サイト
７・・・物販管理サイト
８・・・携帯情報端末（スマートフォン等）
９・・・パソコン
１０・・・ネットワーク
１１・・・フロント
１２・・・非接触リーダー／ライター
１３・・・壁面
１４・・・天井
１５・・・男子ロッカールーム
１６・・・女子ロッカールーム
１７・・・監視カメラ
１８・・・物販棚（現物、予約、貸出し）
１９・・・不法侵入センサー
２０・・・内部モニター
２１・・・外部モニター
３１・・・入会／ビジター処理部
３２・・・パーソナルトレーナー予約部
３３・・・パーソナルトレーナー利用権の売買管理を行う認証部
３４・・・データ処理部
３５・・・バスライン
【図１】
2020027318.tif 000003
【図２】
2020027318.tif 000004
【図３】
2020027318.tif 000005
【図４】
2020027318.tif 000006
【図５】
2020027318.tif 000007